(57)【要約】      （修正有）【課題】電子機器の筐体において、筐体を薄型化することができると共に、本体からカバーが外れ難い安定した係止構造を提供する。【解決手段】箱状の本体２と、該本体２の前面側から取り付けられるカバー３とからなり、本体上端の外縁部２ｅに形成した係止部２ｂ，２ｂに、カバー上端の内縁部３ｅに形成した係止部３ｂ，３ｂを上側から係合し、両係止部を支点として、カバー３下部を本体側に回転させて、本体２にカバ３ーを取り付ける電子機器の筐体であって、前記本体２の上部に前面側より固定ガイド２ｄを立設し、前記カバー２の上部に該固定ガイド２ｄの下面２ｆと接触する上面３ｆを有する外れ防止部材３ｄを立設し、前記カバー３を本体２に回転させて取り付ける際に、該外れ防止部材３ｄはその上面３ｆが前記固定ガイド２ｄの下面２ｆに押し付けられながら、前記固定ガイド２ｄの下側に入り込むことを特徴とする。【選択図】図８
2008251870.tif 000002
【特許請求の範囲】
【請求項１】
箱状の本体と、該本体の前面側から取り付けられるカバーとからなり、本体上端の外縁部に形成した係止部に、カバー上端の内縁部に形成した係止部を上側から係合し、両係止部を支点として、カバー下部を本体側に回転させて、本体にカバーを取り付ける電子機器の筐体であって、
前記本体の上部に、前面側より固定ガイドを立設し、
前記カバー上部に、該固定ガイドの下面と接触する上面を有する外れ防止部材を立設し、
前記カバーを本体に回転させて取り付ける際に、該外れ防止部材は、その上面が前記固定ガイドの下面に押し付けられながら、前記固定ガイドの下側に入り込むことを特徴とする電子機器の筐体。
【請求項２】
前記本体上端の外縁部に形成した係止部は凸状であり、前記カバー上端の内縁部に形成した係止部は凹状であることを特徴とする請求項１記載の電子機器の筐体。
【請求項３】
前記固定ガイドの下面の先端縁と前記外れ防止部材の上面の先端縁が面取りされていることを特徴とする請求項１又は２記載の電子機器の筐体。
【発明の詳細な説明】
【技術分野】
【０００１】
この発明は、電子部材を有する電子機器 、例えば、戸建の住宅又は集合住宅の各戸に設置される住宅情報盤やドアホン等の電子機器の筐体に関する。
【背景技術】
【０００２】
従来、住宅情報盤やドアホン等の電子機器の筐体は、箱状の本体と、その本体の前面側から取り付けられる板状のカバーとから構成されるが、例えば、特開平２０００−２４４１３９号公報（特許文献１）には、本体及びカバーのそれぞれの上部に係止部が設けられ、本体上部の係止部へ、カバー上部の係止部を引っ掛けることで、カバーの本体への取り付けを行うことが開示されている。そして、この公報の図６には、その係止構造の具体例として、本体から前面側に出っ張った周壁に開口を形成し、その開口に、カバー側の周壁に形成した係止部を係止させる構造が開示されている。この様に周壁に係止構造を形成する場合、周壁の厚み分、本体とカバーの接触があることから、両者は外れ難く、安定した係止状態を得ることができる。
【特許文献１】特開平２０００−２４４１３９号公報
【発明の開示】
【発明が解決しようとする課題】
【０００３】
しかしながら、カバー、本体何れの周壁も、通常、１ｃｍ程度の厚みを有するものであり、周壁の厚み分だけ、筐体を薄型化できないという問題がある。
【０００４】
前記の事情に鑑み、この発明は、電子機器の筐体において、筐体を薄型化することができると共に、本体からカバーが外れ難い安定した係止構造を得ることを目的とする。
【課題を解決するための手段】
【０００５】
この発明は、箱状の本体と、該本体の前面側から取り付けられるカバーとからなり、本体上端の外縁部に形成した係止部に、カバー上端の内縁部に形成した係止部を上側から係合し、両係止部を支点として、カバー下部を本体側に回転させて、本体にカバーを取り付ける電子機器の筐体であって、前記本体の上部に、前面側より固定ガイドを立設し、前記カバー上部に、該固定ガイドの下面と接触する上面を有する外れ防止部材を立設し、前記カバーを本体に回転させて取り付ける際に、該外れ防止部材は、その上面が前記固定ガイドの下面に押し付けられながら、前記固定ガイドの下側に入り込むことを特徴とする電子機器の筐体、である。
【発明の効果】
【０００６】
この発明においては、カバーを本体に取り付ける際には、先ず、カバー上端の内縁部の係止部を本体上端の外縁部の係止部に上側から係合させる。この段階では、係止が不十分で、カバーは本体から外れ易いが、僅かにカバーを本体側へ回転させて、本体の固定ガイドの下側にカバーの外れ防止部材の先端を入れることで、カバーの係止部と外れ防止部材の上面先端とで、本体の係止部と固定ガイドの間を上下から挟み込むことができ、カバーの本体からの外れ易さを解消することができる。そして、更にカバーを本体側へ回転させて、カバーを本体側へ押し込むことで、カバーの外れ防止部材の上面は一層本体の固定ガイドの下面に接触し、カバーには下方に押し付けられる力、即ちカバーが外れるのを防ぐ方向の力が作用することとなり、カバーの本体からの外れ易さをより解消することができる。又、本体上端の外縁部の係止部とカバー上端の内縁部の係止部による係止構造としたことで、前記従来例の様な本体とカバーのそれぞれの周壁に設けた係止部による係止構造とは異なり、係止構造のための周壁の厚みは必要がなく、本体とカバーの厚みを薄くすることができ、即ち筐体を薄型化することができる。
【０００７】
即ち、この発明によれば、電子機器の筐体において、筐体を薄型化することができると共に、本体からカバーが外れ難い安定した係止構造を得ることができる。
【０００８】
更に、この発明においては、固定ガイドの下面の先端縁と外れ防止部材の上面の先端縁を面取りすることで、本体の固定ガイドの下側にカバーの外れ防止部材の先端を入れる始める際に、面取りした傾斜面同士が接触することとなるので、その接触抵抗は小さく、本体の固定ガイドの下側にカバーの外れ防止部材の先端を入れる作業を容易に行うことができる。
【発明を実施するための最良の形態】
【０００９】
この発明の電子器機器の筐体の実施の形態を図１乃至８に基づき説明する。尚、図１（ａ，ｂ）は、この発明の電子機器の筐体の一例である住宅情報盤の筐体を示し、カバーが本体に装着された状態における正面図及びＢ−Ｂ線部断面図であり、図２は、同上のカバーの内面側を示す背面図であり、図３は、同上の本体の内面側を示す正面図であり、図４は、同上のカバーの内面側を示す斜視図であり、図５は、同上の本体の内面側を示す斜視図あり、図６は、図１（ａ）に相当する正面図であり、図７（ａ，ｂ）は、カバーを本体に装着する際の状態を示し、何れも図６のＶＩＩ−ＶＩＩ線部に相当する部分の断面図であり、図８（ａ，ｂ）は、カバーを本体に装着する際の状態を示す図７の要部の、何れも図６のＶＩＩ−ＶＩＩ線部に相当する部分の拡大断面図である。
【００１０】
図１において、１は、この発明の電子機器の筐体の一例である住宅情報盤の筐体である。尚、住宅情報盤は、戸建の住宅又は集合住宅の各戸の戸内に設置され、玄関に設置されるドアホン子機や集合住宅における集合玄関機等の戸外に設置される機器と接続されて用いられるものである。
【００１１】
住宅情報盤の筐体１は、前面側が開放される箱型の本体２とそれに前面側から被せられて取り付けられるカバー３とからなる。住宅情報盤は居室の壁面に設けられるものであるが、筐体１は、カバー３が壁面より露出し、本体２が壁面内に埋め込まれて設けられるタイプのものである。又、本体２が、それを背面側より収容する図示しない埋め込み用ボックス（スイッチボックスともいう）を介して壁面内に設けられるタイプのものである。
【００１２】
住宅情報盤は、筐体１のカバー３の表面側に表示モニタ４や通話釦５等が設けられ、ドアホン子機や集合玄関機等の前の訪問者を表示モニタ４により映像で確認したり、その訪問者と通話釦５を押すことで通話できるようになっている。
【００１３】
本体２の上端外縁部２ａには、その左右両端部分に一対の本体側係止部２ｂ，２ｂが設けられており、カバー３の上端内縁部３ａには、その左右両端部分に一対のカバー側係止部３ｂ，３ｂが設けられている。これら本体側係止部２ｂ，２ｂとカバー側係止部３ｂ，３ｂは、本体２にカバー３が装着された状態において、互いに相対する位置に設けられており、且つ本体側係止部２ｂ，２ｂにカバー側係止部３ｂ，３ｂが上側から係合する様に設けられている。そして、本体２の上部には、その中央部分に、周囲壁２ｃの表面より角筒状の固定ガイド２ｄが前面側に立設されており、カバー３の上部には、その中央部分に、本体２にカバー３が装着された状態において、本体２の固定ガイド２ｄの下面２ｆに圧接される（又は接触する）上面３ｆを有する板状の外れ防止部材３ｄがカバー３の内面より立設されている。本体２の周囲壁２ｃは、箱状の本体２において、その上端から水平方向に外側に張り出されたフランジ部であり、このフランジ部の上端外縁部２ａに本体側係止部２ｂが形成される。
【００１４】
本体側係止部２ｂ，２ｂは、具体的には、上端外縁部２ａの左右両端部分に形成した切り欠き部２ｅ，２ｅより上方に突設された凸状部によって構成されており、又、カバー側係止部３ｂ，３ｂは、具体的には、上端内縁部３ａの左右両端部分に設けられた折り返し片３ｅ，３ｅによってその内側に形成される凹状部によって構成されている。
【００１５】
本体２の固定ガイド２ｄは、角筒状の部材であるが、その下面先端縁２ｇは先端角部が面取りされており、そこに傾斜面が形成されており、更に、カバー３の外れ防止部材は板状の部材であるが、その上面先端縁３ｇも先端角部が面取りされており、そこに傾斜面が形成されている（図８の拡大図参照）。又、固定ガイド２ｄは、中空形状で縦断面Ｕ字状に形成され、所定の形状と撓みを得る形状としている。
【００１６】
本体２へカバー３を装着する際には、図７（ａ）及び（ｂ）に示す様に、図７（ａ）の分離した状態から、図７（ｂ）の様に、先ず、カバー３の凹状のカバー側係止部３ｂ，３ｂを本体２の凸状の本体側係止部２ｂ，２ｂに上側から嵌め込んで、カバー側係止部３ｂ，３ｂ内に本体側係止部２ｂ，２ｂを収容して両者を係合させる。この際、図７（ｂ）及び図８（ａ）に示す様に、固定ガイド２ｄの下面先端縁２ｇの面取りされた傾斜面と外れ防止部材３ｄの上面先端縁３ｇの面取りされた傾斜面とが当接した状態となる。この状態から、本体側係止部２ｂ，２ｂとカバー側係止部３ｂ，３ｂの係合部を支点として、カバー３の下部３ｃ側を本体２側に回転させ、固定ガイド２ｄの下面先端縁２ｇの面取りされた傾斜面と外れ防止部材３ｄの上面先端縁３ｇの面取りされた傾斜面とを摺接させながら、換言すれば、外れ防止部材３ｄの上面３ｆが固定ガイド２ｄの下面２ｆに押し付けられながら、外れ防止部材３ｄは固定ガイド２ｄの下に入り込む。この様にして、図８（ｂ）に示す様に、外れ防止部材３ｄを固定ガイド２ｄの下側に押し込んで、カバー３を本体２に完全に装着させる。
【００１７】
この発明の住宅情報盤の筐体１においては、図７（ｂ）及び図８（ａ）に示す様な、固定ガイド２ｄの下面先端縁２ｇの面取りされた傾斜面と外れ防止部材３ｄの上面先端縁３ｇの面取りされた傾斜面とが当接した状態であっても、本体側係止部２ｂ，２ｂとカバー側係止部３ｂ，３ｂの係合部を支点として、カバー３の下部３ｃ側を本体２側に僅かでも回転させることで、外れ防止部材３ｄを固定ガイド２ｄの下側に押し込むことでき、固定ガイド２ｄの下面２ｆと外れ防止部材３ｄの上面３ｆとが圧接して、カバー側係止部３ｂ，３ｂと外れ防止部材３ｄの上面３ｆとで本体側係止部２ｂ，２ｂの上端面と固定ガイド２ｄの下面２ｆとの間を上下から挟み込むことができ、それにより、カバー３の本体２からの外れ易さを解消することができる。又、カバー３の下部３ｃ側を本体２側に更に回転させて、外れ防止部材３ｄを固定ガイド２ｄの下側に更に押し込んで、図８（ｂ）に示す様な、カバー３を本体２に完全に装着した状態にすることで、固定ガイド２ｄの下面２ｆと外れ防止部材３ｄの上面３ｆとがより圧接して、カバー３に下方に押し付ける力、即ちカバー３が外れるのを防ぐ方向の力を作用させることができ、それにより、カバー３の本体２からの外れ易さをより解消することができる。そして、最後に、カバー３の下部３ｃ側を本体２に当てて、例えばネジを締め付ければ、カバー３を本体２へ固定することができる。
【００１８】
又、この発明の住宅情報盤の筐体１においては、本体２の上端外縁部２ａの本体側係止部２ｂ，２ｂとカバー３の上端内縁部３ａのカバー側係止部３ｂ，３ｂによる係止構造としたことで、前記従来例の様な本体２とカバー３のそれぞれの周壁に設けた係止部による係止構造とは異なり、係止構造のための周壁の厚みは必要がなく、本体２とカバー３の厚みを薄くすることができ、即ち筐体１を薄型化することができる。
【００１９】
ところで、カバー３の折り返し片３ｅの高さを長くすることで、カバーを外れ難くすることも可能ではあるが、その様にすると、両係止部を支点として回転させて取り付ける際、折り返し片３ｅが破損する恐れがあり、好ましくない。この発明では、外れ防止部材３ｄと固定ガイド２ｄにより、カバー３の外れ防止の課題を解決しているので、折り返し片３ｅを短くすることが可能となり、結果、カバー３を角度をつけて回転させて取り付ける際に、折り返し片３ｅが折れたりするのを防止することができる。
【図面の簡単な説明】
【００２０】
【図１】この発明の電子機器の筐体の一例である住宅情報盤の筐体を示し、カバーが本体に装着され状態における（ａ）が正面図、（ｂ）がそのＢ−Ｂ線部断面図である。
【図２】同上のカバーの内面側を示す背面図である。
【図３】同上の本体の内面側を示す正面図である。
【図４】同上のカバーの内面側を示す斜視図である。
【図５】同上の本体の内面側を示す斜視図ある。
【図６】図１（ａ）に相当する正面図である（切断線のみ異なる）。
【図７】カバーを本体に装着する際の状態を示し、（ａ）、（ｂ）何れも図６のＶＩＩ−ＶＩＩ線部に相当する部分の断面図である。
【図８】同上を示し、何れも図６のＶＩＩ−ＶＩＩ線部に相当する部分の拡大断面図である。
【符号の説明】
【００２１】
１    住宅情報盤の筐体  ２    本体          ２ａ  上端外縁部
２ｂ  本体側係止部      ２ｃ  周囲壁        ２ｄ  固定ガイド
２ｅ  切り欠き部        ２ｆ  下面          ２ｇ  下面先端縁
３    カバー            ３ａ  上端内縁部    ３ｂ  カバー側係止部
３ｃ  下部              ３ｄ  外れ防止部材  ３ｅ  折り返し片
３ｆ  上面              ３ｇ  上面先端縁    ４    表示モニタ
５    通話ボタン
【図１】
2008251870.tif 000003
【図２】
2008251870.tif 000004
【図３】
2008251870.tif 000005
【図４】
2008251870.tif 000006
【図５】
2008251870.tif 000007
【図６】
2008251870.tif 000008
【図７】
2008251870.tif 000009
【図８】
2008251870.tif 000010